(57)【要約】  【課題】綴じパイプに綴じピンを係合させてなる複数の綴じ桿を有する綴じ具において、紙葉類を検索する際の手間を軽減する。  【解決手段】綴じパイプ２１２に綴じピン２１１を係合させてなる複数の綴じ桿２１と、それぞれ表紙体１に止着可能な第１支持要素２３と第２支持要素２４とからなりこれら第１支持要素２３及び第２支持要素２４に綴じパイプ２１２又は綴じピン２１１を支持させ全閉状態と全開状態との間で作動可能な綴じ桿支持部材２２とを有する綴じ具２において、前記第１支持要素２３及び前記第２支持要素２４の双方に、綴じパイプ２１２及び綴じピン２１１の双方を支持させる。  【選択図】図３
2006103002.tif 000002
【特許請求の範囲】
【請求項１】
綴じパイプに綴じピンを係合させてなる複数の綴じ桿と、それぞれ表紙体に止着可能な第１支持要素と第２支持要素とからなりこれら第１支持要素及び第２支持要素に綴じパイプ又は綴じピンを支持させ全閉状態と全開状態との間で作動可能な綴じ桿支持部材とを有するものであって、前記第１支持要素及び前記第２支持要素の双方に、綴じパイプ及び綴じピンの双方を支持させる構成を有することを特徴とする綴じ具。
【請求項２】
前記綴じ桿を偶数個有するものであって、前記第１支持要素及び第２支持要素のそれぞれに、綴じパイプ及び綴じピンをそれぞれ同数個ずつ支持させていることを特徴とする請求項１記載の綴じ具。
【請求項３】
前記第１支持要素及び第２支持要素のそれぞれに、綴じパイプ及び綴じピンをそれぞれ１個ずつ支持させていることを特徴とする請求項２記載の綴じ具。
【請求項４】
前記綴じ桿支持部材を、前記全閉状態と、前記全閉状態及び全開状態の中間の状態である半開状態とに選択的に係止可能なロック機構を有することを特徴とする請求項１、２又は３記載の綴じ具。
【請求項５】
前記綴じ桿支持部材が、第１支持要素と第２支持要素とを蝶着してなるとともに、前記綴じパイプ及び綴じピンをこれら第１支持要素及び第２支持要素の回動中心を中心とする円弧状に形成していることを特徴とする請求項１、２、３又は４記載の綴じ具。
【請求項６】
表紙体と、表紙体に取り付けられる綴じ具とを具備するとともに、前記綴じ具が、綴じパイプに綴じピンを係合させてなる複数の綴じ桿と、それぞれ表紙体に止着ないし一体に設けてなる第１支持要素と第２支持要素とからなりこれら第１支持要素及び第２支持要素に綴じパイプ又は綴じピンを支持させ全閉状態と全開状態との間で作動可能な綴じ桿支持部材とを有するものであって前記第１支持要素及び前記第２支持要素の双方に、綴じパイプ及び綴じピンの双方を支持させる構成を有することを特徴とするファイル。
【発明の詳細な説明】
【技術分野】
【０００１】
本発明は、綴じパイプに綴じピンを係合させてなる複数の綴じ桿と、綴じパイプ又は綴じピンを支持し全閉状態と全開状態との間で作動可能な綴じ桿支持部材とを有する綴じ具、及びこのような綴じ具を利用したファイルに関する。
【背景技術】
【０００２】
従来より、紙葉類を綴じる用途に種々の綴じ具が用いられてきている。そのうち、比較的多量の紙葉類を綴じるのに用いられる綴じ具を採用したファイルの一例として、綴じピンに綴じパイプを係合させてなる綴じ桿を、第１支持要素と第２支持要素とに支持させてなるとともに、前記綴じピンと前記綴じパイプとがほぼ完全に係合する全閉状態と前記綴じピンと前記綴じパイプとが完全離間する全開状態との間で変化可能な綴じ具が知られている。（例えば特許文献１参照。）なお、特許文献１中では、第１支持要素及び第２支持要素は押さえ板として、また、綴じピンは綴じ杆として述べられている。
【特許文献１】特開２００４−１２２４８６号公報
【発明の開示】
【発明が解決しようとする課題】
【０００３】
ところで、特許文献１記載の構成では、第１支持要素には綴じピン、第２支持要素には綴じパイプのみをそれぞれ支持させている。
【０００４】
しかして、例えば資料を検索ないし参照する際に、紙葉類をこの綴じ具に綴じたまま見開き状態にし、綴じ桿支持部材を全閉状態から全開状態に向けて変化させてから紙葉類を綴じ桿に沿って移動させて目的の資料が記された紙葉類を探す操作が行われることがある。その際、特許文献１記載の構成では、紙葉類は綴じパイプを支持させた第２支持要素側に偏って追随し移動する。このような構成では、目的の紙葉類を検索するためにこの綴じ具に綴じた紙葉類のほぼ全てにアクセスする必要が生じる場合があり、場合によっては不便に感じられるという不具合が発生しうる。
【０００５】
本発明は、このような課題を解決すべく構成するものである。
【課題を解決するための手段】
【０００６】
すなわち、本発明に係る綴じ具は、綴じパイプに綴じピンを係合させてなる複数の綴じ桿と、それぞれ表紙体に止着可能な第１支持要素と第２支持要素とからなりこれら第１支持要素及び第２支持要素に綴じパイプ又は綴じピンを支持させ全閉状態と全開状態との間で作動可能な綴じ桿支持部材とを有するものであって、前記第１支持要素及び前記第２支持要素の双方に、綴じパイプ及び綴じピンの双方を支持させる構成を有することを特徴とする。
【０００７】
また、本発明に係るファイルは、表紙体と、表紙体に取り付けられる綴じ具とを具備するとともに、前記綴じ具が、綴じパイプに綴じピンを係合させてなる複数の綴じ桿と、それぞれ表紙体に止着ないし一体に設けてなる第１支持要素と第２支持要素とからなりこれら第１支持要素及び第２支持要素に綴じパイプ又は綴じピンを支持させ全閉状態と全開状態との間で作動可能な綴じ桿支持部材とを有するものであって前記第１支持要素及び前記第２支持要素の双方に、綴じパイプ及び綴じピンの双方を支持させる構成を有することを特徴とする。
【０００８】
このようなものであれば、綴じ桿支持部材を全閉状態から全開状態に向けて作動させる際に、前記第１支持要素及び前記第２支持要素の双方に綴じパイプを支持させていることから、このような綴じ具に綴じてある紙葉類が前記第１支持要素側及び前記第２支持要素側に略均等に追随し、紙葉類を検索する際に、このような綴じ具に綴じた紙葉類の多くとも約半分だけにアクセスすればよくなる。従って、前記第１支持要素側又は前記第２支持要素側の一方に偏って追随することに伴う不具合の発生を抑えることができる。さらに、第１支持要素及び第２支持要素を表紙体に止着ないし一体に設ける構成の採用により、表紙体を見開き状態にした際に第１支持要素及び第２支持要素が紙葉類と干渉して見開き中央部に記された内容が見にくくなる不具合の発生を防ぐことができる。
【０００９】
このような綴じ具に綴じてある紙葉類をより確実に前記第１支持要素側及び前記第２支持要素側に略均等に追随させるための構成として、前記綴じ桿を偶数個有するものであって、前記第１支持要素及び第２支持要素のそれぞれに、綴じパイプ及び綴じピンをそれぞれ同数個ずつ支持させているものが挙げられる。このようなものであれば、前記第１支持要素側の綴じパイプと紙葉類との接触面積及び前記第２支持要素側の綴じパイプと紙葉類との接触面積を略同一にできるので、前記第１支持要素側の綴じパイプと紙葉類との間に働く摩擦力と、前記第２支持要素側の綴じパイプと紙葉類との間に働く摩擦力とを略同一にできるからである。
【００１０】
前段で挙げた効果を具体的に実現する態様の一例として、前記第１支持要素及び第２支持要素のそれぞれに、綴じパイプ及び綴じピンをそれぞれ１個ずつ支持させているものが挙げられる。このようなものであれば、２穴式パンチにより綴じ孔を形成した紙葉類を綴じ、この紙葉類の内容を参照する際に上述した効果が得られる。
【００１１】
紙葉類をこのような綴じ具に綴じた際に紙葉類に記された内容を探しやすくするための態様として、前記綴じ桿支持部材を、前記全閉状態と、前記全閉状態及び全開状態の中間の状態である半開状態とに選択的に係止可能なロック機構を有するものが挙げられる。このようなものであれば、前記綴じ桿支持部材を半開状態として、紙葉類がバラバラになる不具合の発生を抑えつつ紙葉類を見開き状態にしやすくできるからである。
【００１２】
さらに、前記綴じ桿支持部材が、第１支持要素と第２支持要素とを蝶着してなるとともに、第１支持要素及び第２支持要素が表紙体に止着可能であり、前記綴じパイプ及び綴じピンをこれら第１支持要素及び第２支持要素の回動中心を中心とする円弧状に形成しているものであれば、第１支持要素及び第２支持要素が表紙体に止着した状態で表紙体を見開く操作に連動させて該第１支持要素及び第２支持要素を全開位置に向けて作動させることができ、紙葉類が第１支持要素及び第２支持要素に干渉する不具合の発生を抑えることができる。
【発明の効果】
【００１３】
本発明に係る綴じ具は、第１支持要素及び第２支持要素の双方に綴じパイプを支持させているので、綴じ桿支持部材を全閉状態から全開状態に向けて作動させる際に、このような綴じ具に綴じてある紙葉類が前記第１支持要素側及び前記第２支持要素側に略均等に追随し、前記第１支持要素側又は前記第２支持要素側の一方に偏って追随することに伴う不具合の発生を抑えることができる。また、第１支持要素及び第２支持要素を表紙体に止着ないし一体に設ける構成の採用により、表紙体を見開き状態にした際に第１支持要素及び第２支持要素が紙葉類と干渉して見開き中央部に記された内容が見にくくなる不具合の発生を防ぐことができる。
【発明を実施するための最良の形態】
【００１４】
以下、本発明の一実施形態について図面を参照して説明する。
【００１５】
本実施形態に係るファイルＦは、全体斜視図を図１に示すように、表紙体１と、表紙体１の内面に取り付けられる綴じ具２とを具備する。
【００１６】
前記表紙体１は、本実施形態では１枚のボール紙により形成され、背表紙１１の両側縁に表表紙１２と裏表紙１３を一体に連設してなり、背表紙１１の内面の所定箇所に綴じ具２を取り付けるようにしている。そして、この表紙体１は、綴じ具２の固定に耐えうる剛性を有するとともに、表表紙１２及び裏表紙１３が容易に折れ曲がることがないようになっている。
【００１７】
前記綴じ具２は、綴じピン２１１を綴じパイプ２１２に挿入して係合させる構成を有する綴じ桿２１と、第１支持要素２３と第２支持要素２４とを蝶番部２５を介して蝶着してなり、綴じ桿２１を支持し全閉状態と全開状態との間で作動可能である綴じ桿支持部材２２と、前記綴じ桿支持部材２２を少なくとも全閉状態に係止するロック機構Ｒと、紙葉類Ｐの配置領域内に配され、紙葉類Ｐの配置領域外から紙葉類Ｐの配置領域内へ向かう方向へのスライド操作を受け前記ロック機構Ｒの係止状態を解除する機能を有する操作部３とを有する。ここで、前記図１には、この綴じ具２が全閉状態にあるファイルＦを示している。また、図２には、この綴じ具２が全開状態にあるファイルＦを示している。そして、図３には、この綴じ具２が前記全閉状態と前記全開状態との中間の状態である半開状態にあるファイルＦを示している。さらに、前記全閉状態にある綴じ具２の平面図を図４の（ａ）、この図４の（ａ）におけるａ−ａ断面図を同図の（ｂ）にそれぞれ示している。また、前記図４の（ａ）において、前記綴じピン２１１及び前記綴じパイプ２１２の先端部は省略して示している。
【００１８】
前記綴じ桿２１を形成する前記綴じピン２１１及び前記綴じパイプ２１２は、前記図４の（ｃ）に示すように、前記蝶番部２５を中心とする円弧状をなしている。
【００１９】
前記第１支持要素２３は、前記図１〜図４、及びこの第１支持要素２３を示す図である図５に示すように、略背表紙１１に沿う平板部２３１と、背表紙１１から離間して背表紙１１との間に空間を形成する収納部２３２と、これら平板部２３１及び収納部２３２を接続する接続部２３３と、前記収納部２３２の外側端縁から起立して設けられ前記綴じ桿２１を支持する第１綴じ桿支持部２３４と、前記第１綴じ桿支持部２３４の内側端縁から垂下して設けられる垂下壁２３５と、前記垂下壁２３５から前記第２支持要素２４に向けて突出させて設けられるロック爪２３６とを具備する。前記第１綴じ桿支持部２３４は表表紙１２に止着されている。なお、前記図５において、同図の（ａ）はこの第１支持要素２３の平面図、同図の（ｂ）は同側面図、同図の（ｃ）は同図の（ｂ）におけるｂ−ｂ断面図である。また、前記図５の（ａ）及び（ｂ）において、前記綴じピン２１１及び前記綴じパイプ２１２の先端部は省略して示している。
【００２０】
一方、前記第２支持要素２４は、前記図１〜図４、及びこの第２支持要素２４を示す図である図６に示すように、略背表紙１１に沿う平板部２４１と、背表紙１１から離間して背表紙１１との間にロック爪収納空間２ｓを形成する収納部２４２と、これら平板部２４１及び収納部２４２を接続する接続部２４３と、前記収納部２４３の外側端縁から起立して設けられ前記綴じ桿２１を支持する第２綴じ桿支持部２４４と、前記収納部２４３の内側端縁から垂下して設けられ、前記ロック爪２３１を挿通させるロック爪挿通凹部たるロック爪挿通孔２４ａを有する垂下壁２４５とを具備する。前記第２綴じ桿支持部２４４は裏表紙１３に止着されている。なお、前記図６において、同図の（ａ）はこの第２支持要素２４の平面図、同図の（ｂ）は同側面図、同図の（ｃ）は同図の（ｂ）におけるｃ−ｃ断面図である。また、前記図６の（ａ）及び（ｂ）において、前記綴じピン２１１及び前記綴じパイプ２１２の先端部は省略して示している。
【００２１】
前記蝶番部２５は、前記第１支持要素２３及び前記第２支持要素２４の下端部にそれぞれ形成した蝶着ピン挿通孔２５ａ、２５ｂに図示しない蝶着ピンを挿通させて形成している。また、本実施形態では支持部材付勢要素たるねじりコイルバネＳ２を第１支持要素２３と第２支持要素２４との間に介在させて全開状態側に付勢している。
【００２２】
そして本実施形態では、第１綴じ桿支持部２３４及び第２綴じ桿支持部２４４に、前記綴じピン２１１及び前記綴じパイプ２１２をそれぞれ１個ずつ支持させるようにしている。
【００２３】
前記操作部３は、前記図４に示すように、また、図７の（ａ）に平面図、同図の（ｂ）に側面図、同図の（ｃ）に正面図をそれぞれ示すように、平板状をなす操作部本体３１と、この操作部本体３１の一側端縁から起立させて形成したロック板３２とを有し、前記操作部本体３１の端縁に操作つまみ３１１を形成して綴じ桿支持部材２２の側方に位置させているとともに、前記ロック板３２を前記ロック爪収納空間２ｓに収納するようにしている。また、前記ロック板３２の長手方向両端部には、前記第２支持要素２４の垂下壁２４５と優先して当接する当接部３２１ａ、３２１ｂを形成していて、この当接部３２１ａ、３２１ｂの上縁に、側端縁が前記ロック爪２３６と係合可能な係合凹部３２ｘを切り欠いて形成している。さらに、このロック板３２には、長手方向中央部に起立させてバネ押さえ部３２１を形成し、対操作部付勢要素たる圧縮バネＳ１の一端部を取り付けるようにしているとともに、このバネ押さえ部３２１から前記操作つまみ３１１と反対側に延伸させて圧縮バネ挿通孔３２ｙを形成している。また、第２支持要素２４にも圧縮バネ挿通孔２４ｘ、２４ｙを形成していて、前記圧縮バネＳ１の他端部をこれら圧縮バネ挿通孔２４ｘ、２４ｙに挿通させてこの圧縮バネＳ１を第２支持要素２４に固定するようにしている。そして、これら第１支持要素２４の圧縮バネ挿通孔２４ｘ、２４ｙと、及びロック板３２の圧縮バネ挿通孔３２ｘとを合致させた状態でこの圧縮バネＳ１をロック板３２の圧縮バネ挿通孔３２ｘに挿通させ、この圧縮バネＳ１により前記操作部３を第１支持要素２３及び第２支持要素２４側、すなわち全閉状態側に付勢している。
【００２４】
前記ロック機構Ｒは、前記ロック爪２３６と、前記係合凹部３２ｘの開口端縁とを係合させてなるものであり、操作部３に対する紙葉類Ｐの配置領域外から紙葉類Ｐの配置領域内へ向かう方向へのスライド操作を受けた際に前記ロック爪２３６と前記係合凹部３２ｘの開口端縁との係止状態が解除される。
【００２５】
また、前記ロック爪２３６には、基端寄りに第１係合部２３６ａ、先端寄りに第２係合部２３６ｂを形成していて、第１係合部２３６ａと前記係合凹部３２ｘの開口端縁とを係合させた状態で前記綴じ桿支持部材２２を全閉状態に係止するようにしているとともに、第２係合部２３６ｂと前記係合凹部３２ｘの開口端縁とを係合させた状態で前記綴じ桿支持部材２２を全閉状態と全開状態との中間の状態である半開状態に係止するようにしている。すなわち、前記ロック機構Ｒは、前記全閉状態と前記半開状態とに前記綴じ桿支持部材２２を選択的に係止可能である。
【００２６】
このような綴じ具２において、操作部３の操作つまみ３１１を紙葉類Ｐの配置領域外から紙葉類Ｐの配置領域内へ向かう方向、すなわち図４における矢印ｘ方向へスライド操作させると、前記係合凹部３２ｘを有するロック板３２も図４における矢印ｘ方向に移動して図４の想像線に示す位置に達し、前記ロック爪２３６との係合状態が解除されるとともにその全体が前記ロック爪挿通孔２４ａと合致して前記ロック爪２３６が移動可能な状態となる。
【００２７】
ここで、前記綴じ桿支持部材２２を全閉状態から半開状態に作動させる場合には、操作部３を紙葉類Ｐの配置領域外から紙葉類Ｐの配置領域内へ向かう方向へスライド操作させ、ねじりコイルバネからの作用により前記綴じ桿支持部材２２が全閉状態から変化したことを確認した後スライド操作を解除する。このように操作すると、ねじりコイルバネＳ２及び圧縮バネＳ１がそれぞれ作用することにより前記ロック爪２３６が前記ロック板３２と密着した状態で前記綴じ桿支持部材２２が半開状態に向けて変化し、前記綴じ桿支持部材２２が半開状態に達した時点で前記ロック爪２３６の第２係合部２３６ｂと前記係合凹部３２ｘの開口端縁とが係合して前記綴じ桿支持部材２２が半開状態に係止される。
【００２８】
その際、紙葉類Ｐは、前記第１支持要素２３側の綴じパイプ２１２と紙葉類Ｐとの接触面積及び前記第２支持要素２４側の綴じパイプ２１２と紙葉類Ｐとの接触面積が略同一であるので、前記綴じパイプ２１２との摩擦力により、上側略半分は第１支持要素２３側、残りは第２支持要素２４側に追随して移動する。
【００２９】
本実施形態に係る綴じ具２は、以上に述べたように、前記第１支持要素２３及び前記第２支持要素２４の双方に、綴じパイプ２１２及び綴じピン２１１の双方を支持させているので、綴じ桿支持部材２２を全閉状態から全開状態に向けて作動させる際に、このような綴じ具２に綴じてある紙葉類Ｐが前記第１支持要素２３側及び前記第２支持要素２４側に略均等に追随する。従って、紙葉類を検索する際に、このような綴じ具に綴じた紙葉類の多くとも約半分だけにアクセスすればよくなるので、前記第１支持要素２３側又は前記第２支持要素２４側の一方に偏って追随することに伴う不具合の発生を抑えることができる。さらに、第１支持要素２３を表表紙１２、第２支持要素２４を裏表紙１３に止着しているので、表紙体１を見開き状態にした際に第１支持要素２３及び第２支持要素２４が紙葉類と干渉して見開き中央部に記された内容が見にくくなる不具合の発生を防ぐことができる。
【００３０】
前記綴じ桿２１を２個有し、前記第１支持要素２３及び第２支持要素２４のそれぞれに、綴じパイプ及び綴じピンをそれぞれ１個ずつ支持させているので、上述したように前記第１支持要素２３側の綴じパイプ２１２と紙葉類Ｐとの接触面積及び前記第２支持要素２４側の綴じパイプ２１２と紙葉類Ｐとの接触面積が略同一であり、従って前記第１支持要素２３側の綴じパイプ２１２と紙葉類Ｐとの間に働く摩擦力と、前記第２支持要素２４側の綴じパイプ２１２と紙葉類Ｐとの間に働く摩擦力とを略同一にできる。すなわち、このような綴じ具に綴じてある２穴式パンチにより綴じ孔を形成した紙葉類Ｐをより確実に前記第１支持要素側及び前記第２支持要素側に略均等に追随させることができる。
【００３１】
前記ロック機構Ｒが、前記綴じ桿支持部材２２を、前記全閉状態と、前記全閉状態及び全開状態の中間の状態である半開状態とに選択的に係止可能であるので、前記綴じ桿支持部材２２を半開状態として、紙葉類Ｐがバラバラになる不具合の発生を抑えつつ紙葉類Ｐを見開き状態にしやすくでき、従って紙葉類Ｐをこのような綴じ具に綴じた際に紙葉類Ｐに記された内容を探しやすくすることができる。
【００３２】
さらに、前記綴じ桿支持部材２２が、第１支持要素２３と第２支持要素２４とを蝶番部２５を介して蝶着してなるとともに、前記綴じパイプ２１２及び綴じピン２１１をこれら第１支持要素２３及び第２支持要素２４の回動中心を中心とする円弧状に形成しているので、表紙体１を見開く操作に連動させて該第１支持要素２３及び第２支持要素２４を全開位置に向けて作動させることができ、紙葉類Ｐを見開く際に第１支持要素２３及び第２支持要素２４に干渉する不具合の発生を抑えることができる。
【００３３】
なお、本発明は以上に述べた実施形態に限られない。
【００３４】
例えば、第１支持要素及び第２支持要素のそれぞれに、綴じパイプ及び綴じピンの両方を設けているものであれば、例えば第１支持要素に綴じパイプ１本と綴じピン２本、第２支持要素に綴じパイプ２本と綴じピン１本支持させる態様であっても、少なくとも見開き状態にした際に第１支持要素側及び第２支持要素側の両方に紙葉類を追随させる効果を得ることはできる。
【００３５】
また、第１支持要素及び第２支持要素のそれぞれに、綴じパイプ及び綴じピンの両方を複数かつ同数個設けているものであっても、上述した実施形態同様に、前記第１支持要素側の綴じパイプと紙葉類との間に働く摩擦力と、前記第２支持要素側の綴じパイプと紙葉類との間に働く摩擦力とを略同一にでき、このような綴じ具に綴じてある紙葉類をより確実に前記第１支持要素側及び前記第２支持要素側に略均等に追随させることができる。
【００３６】
さらに、綴じ桿支持部材を、前記全閉状態と、前記全閉状態及び全開状態の中間の状態である半開状態とに選択的に係止可能なロック機構を省略したものであっても、第１支持要素及び第２支持要素のそれぞれに、綴じパイプ及び綴じピンの両方を設けているものであれば上述した主要な効果、すなわち見開き状態にした際に第１支持要素側及び第２支持要素側の両方に紙葉類を追随させる効果を得ることはできる。
【００３７】
そして、第１支持要素及び第２支持要素を直線的に接離可能に構成したものであっても、第１支持要素及び第２支持要素をそれぞれ表表紙及び裏表紙に止着させるかないしは一体に設け、背表紙の幅寸法を綴じ桿支持部材の形状に対応して変更可能に形成したものであれば、のそれぞれに、綴じパイプ及び綴じピンの両方を設けているものであれば、例えば第１支持要素に綴じパイプ１本と綴じピン２本、第２支持要素に綴じパイプ２本と綴じピン１本支持させる態様であっても、少なくとも見開き状態にした際に第１支持要素側及び第２支持要素側の両方に紙葉類を追随させる効果を得ることはできる。
【図面の簡単な説明】
【００３８】
【図１】本発明の一実施形態に係る綴じ具を採用したファイルを示す斜視図。
【図２】同実施形態において綴じ桿支持部材を全開状態にしたファイルを示す斜視図。
【図３】同実施形態において綴じ桿支持部材を半開状態にしたファイルを示す斜視図。
【図４】同実施形態に係る綴じ具を示す平面図及び横断面図。
【図５】同実施形態に係る綴じ具の第１綴じ桿支持部材を示す図。
【図６】同実施形態に係る綴じ具の第２綴じ桿支持部材を示す図。
【図７】同実施形態に係る綴じ具の操作部を示す図。
【符号の説明】
【００３９】
Ｆ…ファイル
１…表紙体
２…綴じ具
２１…綴じ桿
２１１…綴じピン
２１２…綴じパイプ
２２…綴じ桿支持部材
２３…第１支持要素
２４…第２支持要素
Ｒ…ロック機構
【図１】
2006103002.tif 000003
【図２】
2006103002.tif 000004
【図３】
2006103002.tif 000005
【図４】
2006103002.tif 000006
【図５】
2006103002.tif 000007
【図６】
2006103002.tif 000008
【図７】
2006103002.tif 000009